(57)【要約】【課題】ラッチ本体がロック位置にあるラッチに対してストライカが押し込まれたとしても、ラッチの構成要素の変形を抑えることが可能なロック装置を提供する。【解決手段】ラッチ１１は、開口部２１ａを有するハウジング１２と、ストライカＳを挟持する挟持片３０を有し、アンロック位置と最大押し込み位置との間で移動可能なラッチ本体１５と、ラッチ本体１５に形成されたカム溝４５に案内され、アンロック位置と最大押し込み位置との間のロック位置にラッチ本体１５を係止させるガイドレバー２６とを有し、ストライカＳは、ハウジング１２の枠部２１に当接してラッチ１１への押し込みが規制されるストッパーＳ３を有し、ラッチ本体１５がロック位置にあるラッチ１１にストライカＳが押し込まれたとき、ストライカＳは、ラッチ１１への押し込みがストッパーＳ３によって規制され、ラッチ本体１５は、ロック位置と最大押し込み位置との間の待避位置に移動する。【選択図】図７
2013194359.tif 000002
【特許請求の範囲】
【請求項１】
ラッチと前記ラッチに押し込まれる被ラッチ部とを備えるロック装置であって、
前記ラッチは、
前記被ラッチ部が押し込まれる開口部を有する有底の筒状をなすハウジングと、
前記開口部に向けて付勢されて前記ハウジングの開口部と前記ハウジングの底部との間を押し込み方向に沿い往復移動するラッチ本体とを備え、
前記ラッチ本体は、
前記被ラッチ部と係合して前記被ラッチ部をロックするロック位置と、
前記ロック位置よりも前記ハウジングの開口部側でロックを解除するアンロック位置と、
前記ロック位置よりも前記ハウジングの底部側である待避位置とに移動し、
前記被ラッチ部は、
前記待避位置の前記ラッチ本体と当接する状態で前記ハウジングに当接するストッパーを備えることを特徴とするロック装置。
【請求項２】
前記ストッパーは、
前記ハウジングと面接触する
請求項１に記載のロック装置。
【請求項３】
前記ロック位置と前記待避位置との距離は、
前記ロック位置と前記アンロック位置との距離よりも長い
請求項１又は２に記載のロック装置。
【請求項４】
前記被ラッチ部は、ストライカである
請求項１〜３のいずれか１つに記載のロック装置。
【発明の詳細な説明】
【技術分野】
【０００１】
本開示の技術は、ラッチと被ラッチ部とを備えるロック装置に関する。
【背景技術】
【０００２】
従来から、特許文献１に記載されるように、ストライカがラッチに押し込まれるたびにロック状態とロック解除状態とが切り替る、いわゆるプッシュ・プッシュ式のロック装置が知られている。図８は、ロック解除状態のロック装置におけるラッチの内部構造を示す断面図であり、図９は、ロック状態のロック装置におけるラッチの内部構造を示す断面図である。
【０００３】
図８に示されるように、ラッチ１０１では、有底筒状をなすハウジング１０２の内部に、ハウジング１０２の軸方向に移動可能な柱状をなすラッチ本体１０４が収容されている。ハウジング１０２の底部１０２Ｂとラッチ本体１０４との間には、付勢ばね１０５が挟入されて、ハウジング１０２の開口部１０３に向けてラッチ本体１０４が常に付勢されている。ラッチ本体１０４における開口部１０３側には、開口部１０３の外側に広がる一対の挟持片１０６がヒンジを介して連結されている。ラッチ本体１０４の外側面には、ハウジング１０２の長手方向に延びるカム溝１１０が形成されている。
【０００４】
カム溝１１０は、底部１０２Ｂから開口部１０３側に向けて溝幅が広がる凹溝である。このカム溝１１０にて開口部１０３側の溝端壁には、開口部１０３側から底部１０２Ｂに向けて延びる案内壁１１５が突設されて、その溝端壁が、２つの折返し壁１１３と１１６とに２分されている。また、カム溝１１０の内部にて、案内壁１１５と向い合う部位には、ハートカム１０９が突設されている。こうした構造を備えるカム溝１１０には、ハウジング１０２の底部に揺動可能に取り付けられたガイドレバー１１１のトレース部１１２が嵌め込まれている。
【０００５】
そして、ストライカ１０７の押圧によってハウジング１０２の内部にラッチ本体１０４が押し込まれると、図８に矢印で示されるように、トレース部１１２は、カム溝１１０の内部で底部１０２Ｂから開口部１０３に向けて相対的に移動する。次いで、ラッチ本体１０４がさらに押し込まれると、トレース部１１２は、カム溝１１０の折返し壁１１３に当接して押し込みによるラッチ本体１０４の移動を規制する。この状態から、ストライカ１０７の押し込みが解除されると、図９に矢印で示されるように、付勢ばね１０５の付勢力によってラッチ本体１０４が開口部１０３へ向けて移動する。そして、トレース部１１２がハートカム１０９の係止部１１４に係合することで、ラッチ本体１０４がロック位置に保持される。こうしてロック装置は、ロック解除状態からロック状態となる。
【０００６】
一方、ロック状態からストライカ１０７が再び押し込まれると、トレース部１１２は、ハートカム１０９の係止部１１４から、カム溝１１０の折返し壁１１６に向けて相対的に移動して、押し込みによるラッチ本体１０４の移動を再び規制する。この状態からストライカ１０７の押し込みが解除されると、ラッチ本体１０４は、付勢ばね１０５の付勢力によってアンロック位置に復帰する。こうしてロック装置は、ロック状態からロック解除状態となる。
【先行技術文献】
【特許文献】
【０００７】
【特許文献１】特開２００６−３１６５４８号公報
【発明の概要】
【発明が解決しようとする課題】
【０００８】
ところで、アンロック位置に配置されたラッチ本体１０４は、指などによってハウジング１０２に押し込まれることもある。こうした状態からラッチ１０１にストライカ１０７が押し込まれると、ハウジング１０２に挟持片１０６が収容されているため、一対の挟持片１０６がストライカ１０７に押圧されて、ラッチ本体１０４がロック位置からさらに押し込まれることになる。そして、トレース部１１２と折返し壁１１６との当接によってラッチ本体１０４の移動が規制された後もストライカ１０７が押し込まれ続けると、ハウジング１０２の内側面に押し付けられる挟持片１０６や、互いに当接している折返し壁１１６とトレース部１１２とが変形する虞がある。
【０００９】
本開示の技術は、ラッチ本体に対するストライカの押し込みによりラッチの構成部材が変形することを抑えることが可能なロック装置を提供することを目的とする。
【課題を解決するための手段】
【００１０】
本開示におけるロック装置の態様の一つは、ラッチと前記ラッチに押し込まれる被ラッチ部とを備えるロック装置であって、前記ラッチは、前記被ラッチ部が押し込まれる開口部を有する有底の筒状をなすハウジングと、前記開口部に向けて付勢されて前記ハウジングの開口部と前記ハウジングの底部との間を押し込み方向に沿い往復移動するラッチ本体とを備え、前記ラッチ本体は、前記被ラッチ部と係合して前記被ラッチ部をロックするロック位置と、前記ロック位置よりも前記ハウジングの開口部側でロックを解除するアンロック位置と、前記ロック位置よりも前記ハウジングの底部側である待避位置とに移動し、前記被ラッチ部は、前記待避位置の前記ラッチ本体と当接する状態で前記ハウジングに当接するストッパーを備える。
【００１１】
本開示におけるロック装置の態様の一つによれば、ロック位置のラッチ本体に対して被ラッチ部が押し込まれたとき、ラッチ本体は、ロック位置から待避位置へ移動して、被ラッチ部のストッパーとハウジングとが当接する。そのため、ラッチ本体が待避位置よりもさらに押し込まれることが抑えられるから、ラッチ本体に作用する荷重を軽減することができる。その結果、ラッチの構成部材が変形することを抑えることができる。
【００１２】
本開示におけるロック装置の他の態様では、前記ストッパーは、前記ハウジングの前記開口部と面接触する。
本開示におけるロック装置の他の態様によれば、ラッチに対する被ラッチ部の押し込みが規制される際、ハウジングの端面に被ラッチ部が面接触することから、ハウジングの端面と被ラッチ部とが局所的に当接する場合に比べて、被ラッチ部及びハウジングに作用する荷重を分散させることができる。その結果、ラッチのハウジングならびに被ラッチ部の変形を抑えることもできる。
【００１３】
本開示におけるロック装置の他の態様では、前記ロック位置と前記待避位置との距離は、前記ロック位置と前記アンロック位置との距離よりも長い。
アンロック位置とロック位置との距離が過度に長い場合には、被ラッチ部をハウジングに押し込む操作が煩雑となる。これに対して、アンロック位置とロック位置との距離が過度に短い場合には、被ラッチ部をハウジングに押し込む操作が軽微なものとなるから、被ラッチ部のロックに伴う操作感が得られ難くなる。アンロック位置とロック位置との距離は、通常、上述の煩雑さを抑え、且つ、操作感が得られる程度の距離に適宜設定されている。すなわち、ロック操作に要するラッチ本体の移動距離は、利用者の操作感に合わせた適切な距離に設定されている。本開示におけるロック装置の他の態様によれは、ロック位置と待避位置との距離が、こうしたロック操作に要するラッチ本体の移動距離よりも長く設定される。結果として、ラッチ本体の誤った押し込みがロック位置のラッチ本体に対して行われるとしても、その押し込みがロック操作と感じられる範囲では、ラッチ本体を押し込みの押圧から待避させることができる。
【００１４】
本開示におけるロック装置の他の態様では、前記被ラッチ部は、ストライカである。
本開示におけるロック装置によれば、被ラッチ部がストライカであるから、ロックの対象となる部材にストライカが取り付けられることで、上述の効果を得ることが可能になる。
【図面の簡単な説明】
【００１５】
【図１】本開示におけるロック装置の一実施形態の全体構成を示す斜視図であって、ラッチ本体がアンロック位置に配置された状態であるロック解除状態を示す図。
【図２】一実施形態におけるラッチの分解斜視構造を示す分解斜視図。
【図３】一実施形態におけるロック装置がロック状態にあるときのラッチの内部構造を示す断面図であって、ハウジング基体の上壁部側におけるラッチの内部構造を示す図。
【図４】一実施形態におけるロック装置がロック状態にあるときのラッチの内部構造を示す断面図であって、ハウジング基体の下壁部側におけるラッチの内部構造を示す図。
【図５】一実施形態におけるラッチ本体とストライカとの位置関係を示す図であって、挟持片が最大突出量にあるときを示す図。
【図６】一実施形態におけるラッチの内部構造を示す断面図であって、ラッチ本体がロック位置から待避位置へ移動する状態を示す図。
【図７】一実施形態におけるラッチの内部構造を示す断面図であって、ラッチ本体が待避位置に配置された状態を示す図。
【図８】従来例において、ロック装置がロック解除状態にあるときのラッチの内部構造を示す断面図。
【図９】従来例において、ロック装置がロック状態にあるときのラッチの内部構造を示す断面図。
【発明を実施するための形態】
【００１６】
以下、本開示にかかるロック装置を具体化した一実施形態について図１〜図７を参照して説明する。
図１に示されるように、ロック装置は、プッシュ・プッシュ式のラッチ１１と、ラッチ１１に挿入される被ラッチ部としてのストライカＳとで構成される。ロック装置は、例えば、キャビネット、オーディオ機器等の固定体にラッチ１１が固定され、該固定体に設けられた扉、蓋、引き出し等の移動体にストライカＳが固定される。
【００１７】
ラッチ１１を構成するハウジング１２は、係合部としての一対の挟持片３０を有するラッチ本体１５をハウジング１２の軸方向に沿って移動可能に支持している。ラッチ１１にロックされるストライカＳは、移動体に固定されるストッパーＳ３と、ストッパーＳ３の当接面Ｓ３ａから突出する基端部Ｓ１と、基端部Ｓ１よりも外側に張り出した拡径部Ｓ２とを備えている。ストライカＳは、ラッチ１１に押し込まれることによって該ラッチ１１に対してロックされる。そして、ロックされたストライカＳは、再度ラッチ１１に押し込まれることによってラッチ１１に対するロックが解除される。
【００１８】
図２に示されるように、ラッチ１１のハウジング１２は、ポリアセタール等の樹脂によって形成されている。ハウジング１２は、筒状体をなしており、上壁部２０ａ、側壁部２０ｂ，２０ｃ、下壁部２０ｄ、及び背壁部２０ｅで構成されるハウジング基体２０と、ハウジング基体２０の一端部に外側に張り出すように一体的に形成された枠部２１とを有している。ハウジング１２には、枠部２１によって形成される矩形状の開口部２１ａを通じてストライカＳが出入りする。開口部２１ａを通じてストライカＳが出入りする際、枠部２１の端面２１ｂとストライカＳの当接面Ｓ３ａとは、互いに平行となる状態で対向する。
【００１９】
ハウジング基体２０の側壁部２０ｂ，２０ｃには、該側壁部２０ｂ，２０ｃよりも側方へ張り出す爪部２２が形成されている。ラッチ１１は、例えば、固定体の取付部にハウジング１２が挿入された際に、取付部に形成された嵌合孔に爪部２２が嵌合することで固定体に取り付けられる。また、ハウジング基体２０の上壁部２０ａには、ハウジング１２の軸方向に沿って延びるガイド孔１３が貫通形成されている。
【００２０】
また、ハウジング基体２０の底部である背壁部２０ｅには、ハウジング１２の軸方向に沿って延びる棒状のばね受け部２３が形成されている。ばね受け部２３は、背壁部２０ｅのうちで側壁部２０ｃ側に偏倚した位置に形成されており、付勢ばね２４が外挿される。付勢ばね２４は、コイルばねであって、ハウジング基体２０の背壁部２０ｅとラッチ本体１５との間に介在して、枠部２１の開口部２１ａから突出させるようにラッチ本体１５を付勢する。
【００２１】
また、ハウジング基体２０の背壁部２０ｅには、回転軸部２５を軸として揺動可能にガイドレバー２６が取り付けられる。このガイドレバー２６は、ステンレス等の線材からなり、回転軸部２５の両端から開口部２１ａへ向かって延びる一対のアーム部２７ａ，２７ｂが形成されている。一対のアーム部２７ａ，２７ｂは、略等しい長さに形成されており、その先端部には、互いの先端面が向き合うように屈曲するトレース部２８ａ，２８ｂが形成されている。
【００２２】
また、図２に示されるように、ラッチ本体１５は、ポリアセタール等の樹脂によって形成されている。ラッチ本体１５を構成するラッチ基体３１は、ハウジング基体２０の側壁部２０ｂ側に配置される略直方体形状の肉厚部３１Ａと、ハウジング基体２０の側壁部２０ｃ側に配置されて上記一対のアーム部２７ａ，２７ｂによって挟まれる平板状の薄肉部３１Ｂとが一体的に形成されている。ラッチ基体３１の一端部には、ストライカＳの先端面Ｓ２ａによって押圧される被押圧部２９と該被押圧部２９を挟むように一対の挟持片３０とが一体的に形成されている。一対の挟持片３０は、基端部に薄肉化されたヒンジ部３２を有し、ヒンジ部３２よりも肉厚の大径部３０ａを先端部に有している。また、一対の挟持片３０は、これらヒンジ部３２と大径部３０ａとの間に、ヒンジ部３２よりも肉厚であって且つ大径部３０ａよりも薄肉の中間部３０ｂを有している。
【００２３】
一対の挟持片３０は、ラッチ本体１５がハウジング１２に押し込まれることで、枠部２１の内側面に圧接されて上記ヒンジ部３２を回転軸として互いの大径部３０ａが近づくように弾性変形する。そして、大径部３０ａと中間部３０ｂとの段差に、ストライカＳの拡径部Ｓ２が嵌ることによって、ストライカＳが挟持片３０に挟持される。また、ラッチ本体１５がアンロック位置に配置されて、各挟持片３０がハウジング１２から抜き出されると、各挟持片３０は、弾性力により元の位置に復帰する。
【００２４】
ラッチ基体３１の肉厚部３１Ａには、該ラッチ基体３１の他端部に開口を有する嵌挿穴３４が形成されている。この嵌挿穴３４は、ハウジング１２の軸方向に沿うように形成されており、ハウジング１２のばね受け部２３に支持された付勢ばね２４が嵌挿される。
【００２５】
また、肉厚部３１Ａには、ハウジング基体２０の上壁部２０ａに向けて突出する突片３３が形成されている。突片３３は、ラッチ本体１５をハウジング１２に組み付ける際に、上壁部２０ａに形成されたガイド孔１３に摺動可能に内嵌される。ラッチ本体１５は、突片３３がガイド孔１３に嵌合されることにより、付勢ばね２４の付勢力による移動が規制され、ロック解除状態になってもアンロック位置に保持される。
【００２６】
一方、ラッチ基体３１の薄肉部３１Ｂには、ハウジング基体２０の上壁部２０ａ側に配置される部位に、ガイドレバー２６のトレース部２８ａが挿入される第１のカム溝３５が形成されている。
【００２７】
図３に示されるように、第１のカム溝３５は、ハートカム３６を囲むように形成されている。ハートカム３６には、挟持片３０側の部位に、ガイドレバー２６のトレース部２８ａと係合することでラッチ本体１５をロック位置に保持する凹部３７が形成されている。ハートカム３６は、薄肉部３１Ｂの一端部に立設された端壁４１に対して、凹部３７に係合したガイドレバー２６が、ハウジング１２の軸方向において距離Ｌ１だけ離れた位置に配置されるように形成されている。なお、ラッチ１１は、ラッチ本体１５がロック位置にあるとき、挟持片３０の先端部を枠部２１から突出させており、また、背壁部２０ｅの内側面から距離Ｌ２だけ離れた位置にラッチ本体１５の他端部が配置される。
【００２８】
第１のカム溝３５は、薄肉部３１Ｂの他端部からハートカム３６に向かって直線状に延びる導入路３８を有している。トレース部２８ａは、ラッチ本体１５がアンロック位置に配置されているときに導入路３８に配置される。
【００２９】
第１のカム溝３５は、導入路３８からハートカム３６の凹部３７へトレース部２８ａを案内する通路として、肉厚部３１Ａ側におけるハートカム３６の側壁に沿うように延びる往路３９と、往路３９を延長させた第１の折返し路４０とを有している。折返し路４０の折返し壁４０ａは、端壁４１よりもハートカム３６側に形成されており、アンロック位置からロック位置へラッチ本体１５が移動する際にトレース部２８ａが当接することでラッチ本体１５の押し込みを規制する。
【００３０】
また、第１のカム溝３５は、ハートカム３６の凹部３７から導入路３８へトレース部２８ａを案内する通路として、凹部３７との係合が解除されたトレース部２８ａが導入される第２の折返し路４２と、肉厚部３１Ａの反対側におけるハートカム３６の側壁に沿って延びる復路４３とを有している。第２の折返し路４２は、ハウジング１２の軸方向に沿って端壁４１まで延出形成されている。すなわち、凹部３７に係合しているガイドレバー２６は、ロック位置にあるラッチ本体１５が距離Ｌ１の分だけさらに押し込まれたときに端壁４１に当接する。
【００３１】
また、図４に示されるように、ラッチ基体３１の薄肉部３１Ｂには、ハウジング基体２０の下壁部２０ｄ側に配置される部位に、ガイドレバー２６のトレース部２８ｂが挿入される第２のカム溝４５が形成されている。
【００３２】
第２のカム溝４５は、ハートカム４６を囲むように形成されている。ハートカム４６には、挟持片３０側の部位に、ガイドレバー２６のトレース部２８ｂと係合することでラッチ本体１５をロック位置に保持する凹部４７が形成されている。ハートカム４６は、薄肉部３１Ｂの一端部に立設された端壁５１に対して、凹部４７に係合したガイドレバー２６が、ハウジング１２の軸方向において距離Ｌ３だけ離れた位置に配置されるように形成されている。
【００３３】
第２のカム溝４５は、ラッチ本体１５の他端部側が開放された導入路４８を有している。第２のカム溝４５は、導入路４８からハートカム４６の凹部４７へトレース部２８ｂを案内する通路として、肉厚部３１Ａ側におけるハートカム４６の側壁に沿って延びて肉厚部３１Ａの一部を切り欠いた往路４９と、ハートカム４６の凹部４７に対向する位置までトレース部２８ｂを誘導する第１の折返し路５０とを有している。
【００３４】
また、第２のカム溝４５は、ハートカム４６の凹部４７から導入路４８へトレース部２８ｂを案内する通路として、凹部４７との係合が解除されたトレース部２８ｂが導入される第２の折返し路５２と、肉厚部３１Ａの反対側におけるハートカム３６の側壁に沿う復路５３とを有している。トレース部２８ｂは、ロック位置にあるラッチ本体１５が押し込まれると、ハートカム４６の凹部４７に対向するカム面５４によって第２の折返し路５２へと案内される。第２の折返し路５２は、ハウジング１２の軸方向に沿って端壁５１まで延出形成されている。すなわち、凹部４７に係合しているガイドレバー２６は、ロック位置にあるラッチ本体１５が距離Ｌ３の分だけさらに押し込まれたときに端壁５１に当接する。
【００３５】
なお、本実施形態では、上述した距離Ｌ１と距離Ｌ３が略等しくなるようにラッチ１１が設計されている。これらの距離Ｌ１，Ｌ３は、ストライカＳにおける当接面Ｓ３ａから先端面Ｓ２ａまでの距離、挟持片３０の長さや形状、ハウジング１２の形状等に応じて適宜決定される値である。
【００３６】
本実施形態では、図５に示されるように、ストライカＳにおける当接面Ｓ３ａから先端面Ｓ２ａまで距離Ｌ４と、ロック位置にあるラッチ本体１５の挟持片３０がヒンジ部３２を軸に回転して端面２１ｂから最も突出させたときの最大突出量Ｌ５との加算値よりも大きな値に設定されている。すなわち、距離Ｌ１は、ロック位置とアンロック位置との距離よりも長く設定されている。また、背壁部２０ｅからラッチ本体１５の他端部までの距離Ｌ２は、上記距離Ｌ１よりも大きな値となるように設計されている。すなわち、ロック位置にあるラッチ本体１５は、ハウジング基体２０の背壁部２０ｅ側に向けて、トレース部が端壁に当接するまで、つまりロック位置から距離Ｌ１だけ離れた最大押し込み位置まで移動することが可能となっている。
【００３７】
次に、上述した構成のロック装置の作用、特に、ラッチ本体１５がロック位置に配置されているラッチ１１に対してストライカＳが押し込まれたときの作用について図６及び図７を参照して説明する。なお、以下では、トレース部２８ａ，２８ｂの動作態様が同じ動作態様をとるため、第２のカム溝４５に案内されるトレース部２８ｂについての動作態様を説明し、トレース部２８ａの動作態様についてはその詳細な説明を省略する。
【００３８】
図６に示されるように、ラッチ本体１５がロック位置に配置されているラッチ１１に対してストライカＳが押し込まれると、ラッチ本体１５は、挟持片３０の大径部３０ａがストライカＳに押圧されて、ハウジング基体２０の底部である背壁部２０ｅへ向けて押し込まれる。ラッチ本体１５が押し込まれると、ガイドレバー２６のトレース部２８ｂは、ハートカム４６の凹部４７との係合が解除されたのち、カム面５４に案内されて第２の折返し路５２に導入される。
【００３９】
ストライカＳがさらに押し込まれると、図７に示されるように、挟持片３０は、枠部２１よりも幅狭なハウジング基体２０に導入されることで、側壁部２０ｂ、２０ｃの内側面に圧接されてヒンジ部３２を軸にして互いに近づくように回転する。こうした挟持片３０の回転によって、挟持片３０とストライカＳとは、互いの先端部が当接することになる。すなわち、挟持片３０は、先の図５で説明されたように、ヒンジ部３２を軸に回転して開口部２１ａに向けて端壁５１から最も突出した状態となり、この状態の挟持片３０とストライカＳとが当接する。
【００４０】
ここで、ラッチ本体１５は、上述したように、当接面Ｓ３ａから先端面Ｓ２ａまで距離Ｌ４と挟持片３０の最大突出量Ｌ５との加算値よりも大きな値である距離Ｌ１だけ、ロック位置から背壁部２０ｅ側へ移動することが可能となっている。そのため、ラッチ本体１５は、挟持片３０とストライカＳとが互いの先端部で当接した状態であっても、枠部２１の端面２１ｂにストライカＳの当接面Ｓ３ａが当接するまで押し込まれ続けることとなる。
【００４１】
枠部２１の端面２１ｂにストライカＳの当接面Ｓ３ａが当接すると、ラッチ１１に対するストライカＳの押し込みが規制され、ラッチ本体１５は、最大押し込み位置とロック位置との間である待避位置に配置される。すなわち、待避位置にあるラッチ本体１５とハウジング基体２０の開口部２１ａとの距離を待避距離とすると、ストライカＳは、そのハウジング基体２０に押し込まれる部分である基端部Ｓ１が待避距離よりも短い。結果として、ラッチ本体１５が待避位置に配置される状態では、トレース部２８ｂは、端壁５１に当接することなく第２の折返し路５２に配置される。それゆえに、ラッチ本体１５の押し込みがガイドレバー２６によって規制される場合に比べて、ガイドレバー２６及びストライカＳに作用する荷重が軽減されることとなる。その結果、ラッチ本体１５やガイドレバー２６等、ラッチ１１の構成要素が変形することを抑えることができる。
【００４２】
また、ストライカＳは、ラッチ１１に押し込まれ続けている間、枠部２１の端面２１ｂに対して当接面Ｓ３ａが略平行となる状態が維持される。すなわち、ストライカＳの当接面Ｓ３ａが枠部２１の端面２１ｂに当接したとき、これら当接面Ｓ３ａと端面２１ｂとは面接触することになる。そのため、枠部２１の端面２１ｂとストッパーＳ３の当接面Ｓ３ａとが局所的に当接する場合に比べて、ストライカＳ及びハウジング１２の当接部付近に作用する荷重を抑えることができる。その結果、ハウジング１２及びストライカＳの変形も抑えることができる。
【００４３】
そして、枠部２１の端面２１ｂにストッパーＳ３の当接面Ｓ３ａが当接した状態からストライカＳの押し込みが解除されると、ラッチ本体１５は、付勢ばね２４の付勢力によってストライカＳを押圧しながらアンロック位置へ向けて移動する。この際、トレース部２８ｂは、ラッチ本体１５の移動にともない、第２の折返し路５２、復路５３に案内されて導入路４８へ戻ることになる。すなわち、ラッチ本体１５は、待避位置からアンロック位置へと移動する。
【００４４】
なお、ロック状態にあるロック装置をロック解除状態にする際、ロック状態にあるストライカＳは、ラッチ１１に再び押し込まれることになる。この際、ストライカＳの当接面Ｓ３ａが枠部２１の端面２１ｂに当接することによって、ロック解除時におけるストライカＳの押し込みが規制されることになる。
【００４５】
以上説明したように、上記実施形態のロック装置によれば、以下に列挙する効果を得ることができる。
（１）ラッチ本体１５がロック位置にあるラッチ１１にストライカＳが押し込まれると、枠部２１の端面２１ｂに当接面Ｓ３ａが当接することによりストライカＳの押し込みが規制されて、ラッチ本体１５が待避位置に移動する。その結果、ラッチ本体１５やガイドレバー２６等、ラッチ１１の構成要素が変形することを抑えることができる。
【００４６】
（２）ストライカＳの押し込みによってラッチ本体１５がロック位置から最大押し込み位置に移動する間に、ストライカＳの当接面Ｓ３ａと枠部２１の端面２１ｂとが当接する。すなわち、ラッチ本体１５が最大押し込み位置に到達する前に、当接面Ｓ３ａと端面２１ｂとの当接によって、ラッチ本体１５の押し込みが止められる。それゆえに、ラッチ本体１５が最大押し込み位置よりもさらに底部側へ押し込まれることがないから、ラッチ本体１５の変形が確実に抑えられる。
【００４７】
（３）ラッチ１１に対するストライカＳの押し込みが規制されるとき、当接面Ｓ３ａは、枠部２１の端面２１ｂに対して面接触する。これによれば、当接面Ｓ３ａと端面２１ｂとが局所的に当接する場合に比べて、ハウジング１２及びストライカＳに作用する荷重を分散させることができる。その結果、ハウジング１２ならびにストライカＳの変形を抑えることができる。
【００４８】
（４）アンロック位置とロック位置との距離が過度に長い場合には、ストライカＳをハウジング１２に押し込む操作が煩雑となる。これに対して、アンロック位置とロック位置との距離が過度に短い場合には、ストライカＳをハウジング１２に押し込む操作が軽微なものとなるから、ストライカＳのロックに伴う操作感が得られ難くなる。アンロック位置とロック位置との距離は、通常、上述の煩雑さを抑え、且つ、操作感が得られる程度の距離に適宜設定されている。
【００４９】
すなわち、ロック操作に要するラッチ本体１５の移動距離は、利用者の操作感に合わせた適切な距離に設定されている。この点、ロック位置と待避位置との距離が、こうしたロック操作に要するラッチ本体１５の移動距離よりも長く設定される。結果として、ラッチ本体１５の誤った押し込みがロック位置のラッチ本体１５に対して行われるとしても、その押し込みがロック操作と感じられる範囲では、押し込みの押圧からラッチ本体１５を待避させることができる。
【００５０】
なお、上記実施形態は、以下のように適宜変更して実施することもできる。
・ラッチ本体１５の待避位置とラッチ本体１５の最大押し込み位置とが同じであってもよい。
【００５１】
・上記実施形態において、ストライカＳのストッパーＳ３と枠部２１とが当接することでラッチ１１へのストライカＳの押し込みが規制されればよく、これらストッパーＳ３と枠部２１とが互いに局所的に当接する形状をなしていてもよい。
【００５２】
・上記実施形態において、ラッチ本体１５の待避位置は、ロック位置と最大押し込み位置との間に設定されているが最大押し込み位置であってもよい。
・上記実施形態のラッチ１１は、２つのカム溝３５，４５が形成されたラッチ本体１５と、該カム溝３５，４５の各々に案内される一対のトレース部２８ａ，２８ｂを備えるガイドレバー２６と有している。これに限らず、ラッチは、１つのカム溝が形成されたラッチ本体と、該カム溝に案内される１つのトレース部を備えるガイドレバーとを有する構成であってもよい。
【００５３】
・上記実施形態のラッチ１１は、ハウジング１２に挿入されるストライカＳを一対の挟持片３０で挟持することによって、ストライカＳをロックする。これに限らず、ラッチは、係合部として、ハウジングにストライカが挿入されることによって出没する係合爪を有し、この係合爪とストライカとが係合することによって、ストライカをロックする構成であってもよい。
【００５４】
・ラッチ１１にラッチされる被ラッチ部は、ストライカＳに限られず、ストライカＳとストライカＳが取り付けられる部材とから構成されてもよい。
【符号の説明】
【００５５】
Ｓ…ストライカ、Ｓ１…基端部、Ｓ２…拡径部、Ｓ３…ストッパー、Ｓ２ａ…先端面、Ｓ３ａ…当接面、１１…ラッチ、１２…ハウジング、１３…ガイド孔、１５…ラッチ本体、２０…ハウジング基体、２０ａ…上壁部、２０ｂ…側壁部、２０ｃ…側壁部、２０ｄ…下壁部、２０ｅ…背壁部、２１…枠部、２１ａ…開口部、２１ｂ…端面、２２…爪部、２３…ばね受け部、２４…付勢ばね、２５…回転軸部、２６…ガイドレバー、２７ａ，２７ｂ…アーム部、２８ａ，２８ｂ…トレース部、２９…被押圧部、３０…挟持片、３０ａ…大径部、３０ｂ…中間部、３１…ラッチ基体、３１Ａ…肉厚部、３１Ｂ…薄肉部、３２…ヒンジ部、３３…突片、３４…嵌挿穴、３５…第１のカム溝、３６…ハートカム、３７…凹部、３８…導入路、３９…往路、４０…第１の折返し路、４０ａ…折返し壁、４１…端壁、４２…第２の折返し路、４３…復路、４５…第２のカム溝、４６…ハートカム、４７…凹部、４８…導入路、４９…往路、５０…第１の折返し路、５１…端壁、５２…第２の折返し路、５３…復路、５４…カム面、１０１…ラッチ、１０２…ハウジング、１０２Ｂ…底部、１０３…開口部、１０４…ラッチ本体、１０５…付勢ばね、１０６…挟持片、１０７…ストライカ、１０８…拡径部、１０９…ハートカム、１１０…カム溝、１１１…ガイドレバー、１１２…トレース部、１１３…折返し壁、１１４…係止部、１１５…案内壁、１１６…折返し壁。
【図１】
2013194359.tif 000003
【図２】
2013194359.tif 000004
【図３】
2013194359.tif 000005
【図４】
2013194359.tif 000006
【図５】
2013194359.tif 000007
【図６】
2013194359.tif 000008
【図７】
2013194359.tif 000009
【図８】
2013194359.tif 000010
【図９】
2013194359.tif 000011